(57)【特許請求の範囲】
【請求項１】
単位使用量の化粧品サンプルであって、
第１の表面とこの第１の表面と反対側の第２の表面とを有するカバーフィルムと、
あるパターンで前記カバーフィルムの前記第１の表面上に印刷され、化粧製品を含有する、単位使用量の化粧品調整物と、
前記カバーフィルムにシールされ、使用前に前記化粧品調整物を保護する保護用裏打ち材と、
を具備し、
前記カバーフィルムは所定のパターンで前記第２の表面上に予め印刷された少なくとも1つの透明あるいは半透明の窓を含み、前記化粧品調整物は前記窓の領域よりも大きい領域にわたって前記カバーフィルムの前記第１の表面上に印刷されていることを特徴とする化粧品サンプル。
【請求項２】
前記印刷された化粧品調整物は前記窓を通して目視することができるようにされていることを特徴とする請求項1に記載の化粧品サンプル。
【請求項３】
前記印刷されたパターンは、１つを超える数の明確な区画を有し、個々の区画は異なる色彩の化粧品調製物でもって印刷され、前記少なくとも一つの窓は、パターンの各区画に対する分離された窓を有し、各分離された窓は、印刷パターンの異なる区画の形状に対応した形状となっているものであることを特徴とする請求項２に記載の化粧品サンプル。
【請求項４】
前記化粧製品は、着色粉体と溶剤のスラリーから形成された着色粉体であるか、又は、溶融ワックスで増量されたワックス系製品の加工ペーストから形成されたワックス系製品であるものであることを特徴とする請求項１に記載の化粧品サンプル。
【請求項５】
前記化粧品サンプルは、更に、印刷された化粧品調製物の上に印刷された保護用ポリマーオーバーコートを備えたものであることを特徴とする請求項４に記載の化粧品サンプル。
【請求項６】
前記カバーフィルムは、エンボス加工されてパターンの形の窪みを形成し、化粧品調製物が窪みに印刷されたものであることを特徴とする請求項１に記載の化粧品サンプル。
【請求項７】
化粧品サンプルの製造方法であって、
化粧製品の化粧品調製物を形成する手順と、
少なくとも一つの明確な区画を有し、且つ十分に輪郭を画定されたパターンでもって、前記化粧品調製物をプラスチックフィルムの第１の表面上に印刷する手順と、
保護用裏打ち材を設ける手順と、
前記保護用裏打ち材をフィルムにシールする手順と、
を含み、
前記プラスチックフィルムは前記プラスチックフィルムの前記第１の表面とは反対側の第２の表面上に少なくとも1つの透明の窓を定めるよう不透明なコピーをもって予め印刷され、前記化粧品調整物が前記少なくとも1つの透明の窓を通して目視することができるように前記窓は前記化粧品調整物の印刷されたパターンに対応し、前記前記化粧品調整物は前記窓の領域よりも大きい領域にわたって前記フィルム上に印刷されることを特徴とする化粧品サンプルの製造方法。
【請求項８】
前記化粧品調製物を印刷する手順は、スクリーン印刷、リソグラフィー及びフレクソグラフィーから選択されたプロセスであることを特徴とする請求項７に記載の化粧品サンプルの製造方法。
【請求項９】
前記化粧品調製物をあるパターンに印刷する手順は、更に、幾多の色彩の化粧品調製物をフィルムに印刷することを含み、それによって、各色彩の化粧品調製物は、パターンの少なくとも一つの明確な区画を、少なくとも一つの窓と位置合わせを取りながらフィルム上に形成するようにしたことを特徴とする請求項７に記載の化粧品サンプルの製造方法。
【請求項１０】
前記化粧製品は着色粉体であり、前記化粧品調整物を形成する手順は粉体と溶剤とのスラリーを形成することを含むことを特徴とする請求項７に記載の化粧品サンプルの製造方法。
【請求項１１】
前記印刷する手順の前に前記スラリーに潤滑剤と湿潤剤のうちの１つを加える手順をさらに含むことを特徴とする請求項１０に記載の化粧品サンプルの製造方法。
【請求項１２】
前記化粧製品はワックス系製品であり、前記化粧品調整物を形成する手順は溶融ワックスでもって増量された前記ワックス系製品のペーストを処理することを含むことを特徴とする請求項７に記載の化粧品サンプルの製造方法。
【請求項１３】
前記保護用裏打ち材を前記フィルムにシールする前に前記フィルムに周辺接着剤を設ける手順をさらに含むことを特徴とする請求項７に記載の化粧品サンプルの製造方法。
【請求項１４】
前記シールする手順は、積層、加熱シール、溶融シール、超音波シールのうちから選択された方法を用いて遂行されることを特徴とする請求項７に記載の化粧品サンプルの製造方法。
【発明の詳細な説明】
【０００１】
【発明の属する技術分野】
本発明は、化粧品サンプルに関し、より詳しくは、化粧品のサンプルを提供する、単位使用量又は一回の使用のための使い捨てパッケージに関する。
【０００２】
【従来の技術】
一般に、デパートでの試供品用の化粧品は、製品として売られる容器そのもの又は同じ容器を小型化したものに入れた形で利用されている。この方法は、香水製品に関しては、概して、問題なく行われており、その場合には、製品が消費者の肌に噴霧されることで用いられるので、製品の容器は人に触れられることはない。しかしながら、このような方法は、化粧品を市場で商うに際しては、効果的ではない。なぜならば、多くの消費者は、他人がそこから既に試供した容器から製品を試供することに関しては、病気や感染症にかかることを恐れるので、不快感を感じるためである。
【０００３】
従来、宣伝パンフレットや郵便物、例えばデパートの宣伝広告や雑誌の綴じ込みを使って、化粧品を商うためのより安価で便利な方法が提案されてきた。このような試供品扱いの一例は、化粧品の「板状小片」であり、フェローズ（Ｆｅｌｌｏｗｓ）氏らに特許された米国特許第４７５２４９６号に開示されているように、基板上に堆積された化粧品サンプルを紙製の保護材で覆ったものである。しかしながら、このような「板状小片」は、意匠パターンを使って化粧品サンプルを紹介することを念頭においておらず、単一のデザインの中に数多くの色調を同時に提供することも意図していない。
【０００４】
他の例として、レヴァイン（Ｌｅｖｉｎｅ）氏らに特許された米国特許第４８８４７１９号には、基板上に堆積された製品が透明な被覆材で被覆されている化粧品サンプラーが開示されている。この発明では、消費者はパッケージになんら手を付けずとも製品の色を十分に目視することができるが、このサンプルは、その２層の間で裏移りや汚れがおきてしまい、製品サンプルの意匠パターンをだいなしにしてしまう。
【０００５】
グレインジャー（Ｇｒａｉｎｇｅｒ）氏らに特許された米国特許第４８２４１４３号には、この裏移りの問題に対処する試みがなされている。このサンプラーパッケージでは、透明な半球状の挿入物が製品サンプルを覆って窓の形で配置されている。このパッケージでは、製品を目視する半球状のものの周りに、多くのパネル及び窓状切り抜きが形成されている。しかし、この発明は、形態が複雑で、消費者が使うのには厄介である。その上、このサンプラーは、比較的寸法がかさばるので、郵便での綴じ込みや雑誌での頒布には適していない。
【０００６】
上記した問題は、クリーム、口紅、香水、調合薬、ローション、及び、高粘性ワックス状の材料からなる他のタイプの各種サンプルの頒布で生じている。
【０００７】
【発明が解決しようとする課題】
上述したように、上記従来の米国特許第４７５２４９６号や米国特許第４８８４７１９号に記載による化粧品サンプルでは、意匠パターン使った化粧品サンプルには適さず、また単一のデザインの中に数多くの色調を同時に提供することも意図しておらず、さらにその構造から２層の間で裏移りや汚れがおきてしまい、製品サンプルの意匠パターンをだいなしにしてしまうという問題点があった。この裏移りの問題を解消するための試みとして、米国特許第４８２４１４３号に記載の提案によって改善がなされているが、その実施の形態が複雑であるため、消費者が使うのには厄介でり、またその上、この化粧品サンプルは比較的寸法がかさばるので、郵便での綴じ込みや雑誌での頒布には適していないという問題点もあった。
【０００８】
そこで、本発明は上記問題点に鑑みてなされたもので、簡単な構成でサンプルの種類に関わらず裏移りや汚れが発生せずに意匠パターンを保持することができ、１回分の単位使用量が十分に得られ且つ低コストで使用方法も容易な使い捨てパッケージとして最適な化粧品サンプルの提供を目的とする。
【０００９】
【課題を解決するための手段】
本発明の化粧品サンプルは、単位使用量の化粧品サンプルであって、第１の表面とこの第１の表面と反対側の第２の表面とを有するカバーフィルムと、あるパターンで前記カバーフィルムの前記第１の表面上に印刷され、化粧製品を含有する、単位使用量の化粧品調整物と、前記カバーフィルムにシールされ、使用前に前記化粧品調整物を保護する保護用裏打ち材と、を具備し、前記カバーフィルムは所定のパターンで前記第２の表面上に予め印刷された少なくとも1つの透明あるいは半透明の窓を含み、前記化粧品調整物は前記窓の領域よりも大きい領域にわたって前記カバーフィルムの前記第１の表面上に印刷されていることを特徴とするものである。
【００１０】
この発明によれば、化粧品を含有する、単位使用量の化粧品調整物があるパターンでカバーフィルム上に印刷され、さらに保護用裏打ち材が該カバーフィルムにシールされるようにし、さらにカバーフィルムは所定のパターンの少なくとも1つの透明あるいは半透明の窓を含み、化粧品調整物は窓の領域よりも大きい領域にわたってカバーフィルム上に印刷されて化粧品サンプルを構成しているので、サンプルの種類に関わらず裏移りや汚れが発生せずにその化粧品調整物の意匠パターンを保持することができる。また、保護用裏打ち材によって使用以前にカバーフィルム上に印刷された化粧品調製物を確実に保護することができ、また使用する場合には、カバーフィルム又は保護用裏打ち材を剥がすだけで良いので、使用方法も容易である。さらに、化粧品調整物がカバーフィルム上に印刷されるようになっているので、１回分の単位使用量を十分に得ることも可能である。よって、簡単な構成で実施できるので、低コストで使用方法も容易な使い捨てパッケージとして最適な化粧品サンプルの提供が可能となる。
【００１１】
本発明の化粧品サンプルの製造方法は、化粧品サンプルの製造方法であって、化粧製品の化粧品調製物を形成する手順と、少なくとも一つの明確な区画を有し、且つ十分に輪郭を画定されたパターンでもって、前記化粧品調製物をプラスチックフィルムの第１の表面上に印刷する手順と、保護用裏打ち材を設ける手順と、前記保護用裏打ち材をフィルムにシールする手順と、を含み、前記フィルムは前記プラスチックフィルムの前記第１の表面とは反対側の第２の表面上に少なくとも1つの透明の窓を定めるよう不透明なコピーをもって予め印刷され、前記化粧品調整物が前記少なくとも1つの透明の窓を通して目視することができるように前記窓は前記化粧品調整物の印刷されたパターンに対応し、前記前記化粧品調整物は前記窓の領域よりも大きい領域にわたって前記フィルム上に印刷されることを特徴とするものである。
【００１２】
この本発明によれば、上記発明の化粧品サンプルを製造することが可能となり、したがってその作用及び効果は上記発明と同様である。
【００１３】
【発明の実施の形態】
以下、図面を参照して本発明の実施の形態を説明する。
【００１４】
図１乃至図３は本発明の化粧品サンプルの一実施の形態を示し、図１は化粧品サンプルの横断面図、図２は化粧品サンプルの分解平面図、図３は図１に示されたフィルム４の底面図である。
【００１５】
図１に示したこの発明の実施例は、透明又は半透明のカバーフィルム４を有しており、それに対して化粧品のサンプルが所望のパターン若しくはデザイン５でもってその底面Ｂに図３のように印刷されている。裏打ち層１が、化粧品２の周りでフィルム４に対してシール若しくは張り合わされ、消費者によって使用されるまで被覆してそのサンプルを保護する。
【００１６】
フィルム４は、１から１２ミルの厚さを有した柔軟なプラスチックシート又は熱成形フィルムのいずれとすることができ、例えば、ＰＶＣ、ＰＥＴ、ポリプロピレン、高密度ポリエチレン、ポリカーボネイト、高衝撃ポリスチレン、アモリファスポリエステル、共重合ポリエステル、又はこれらの誘導体のものが用いられるが、好ましくは、フィルム４は、商標「マイラー」（ＭＹＬＡＲ）のような処理されたポリエステル樹脂フィルムから形成される。
【００１７】
カバーフィルム４の上面Ａは、予め印刷されて少なくとも一つの窓６を区画しており、その窓を通してサンプル２の色が目視される。これら（この）窓６は、いかなる形状、パターン又はデザイン５のものとすることができ、例えば、上下一対の唇の形をした一対の窓のようにすることができる。
【００１８】
図２に示した例では、カバーフィルム４には、上下一対の唇の陰画でもって予め印刷がされており、唇の形をした窓６は透明となり、カバーフィルムの他の部分は印刷物でブロックされている。この方法では、製品のいくつかの暗度又は色彩を一つのサンプラーに表示することができ、各色彩は、一つの窓を占めている。更に、カバーフィルム４は、不透明及び透明の両部分にコピープリント、例えば、製品の名称を付したり使用方法を記したりするためのものを含むことができる。
【００１９】
製品サンプル２は、各窓６の反対側の部分のフィルム４の底面Ｂに、図３のように、対応する窓より僅かに大きい面積で印刷されている。各デザイン部分の周縁は、窓の縁部の後ろに隠されるので、色調とデザインの鮮明なプレゼンテーションを可能にしている。従って、印刷された化粧品２の周縁部のふぞろい又は化粧品の位置ずれは、カバーフィルム４の上面Ａからは見えない。好ましくは、化粧品２は、フィルム４上にスクリーン印刷される。尤も、他の印刷方法、例えば、フレクソグラフィー又はリソグラフィーを用いることができる。
【００２０】
更なる他の例では、フィルム４には、エンボス加工によって所望のパターンの形をした窪みを形成し、化粧製品をそこに堆積させることができる。
【００２１】
頒布する化粧品サンプルが、アイシャドウや頬紅のような粉体系の製品である場合に、この発明を実施する好適なプロセスにおいては、カバーフィルム４は、スクリーン印刷機を通され、所望の数多くの化粧品２の色合いをもって印刷され、印刷による形状の配置が可能である。これらの堆積された化粧品は、その形状及び大きさが事実上印刷機のとおりとすることができ、互いに近接して見当あわせをすることができる。一例では、マジェステック社からの中間の粗さのメッシュ（１２５本／１インチ）及びデュロメータ硬度８０から８５のスキージを使って、フィルム上に化粧品が堆積される。このメッシュは、平滑なスクリーン形成するような、極めて細い番手の糸を有し開口面積の高い比率を持ったものである。
【００２２】
この化粧品スラリーは、粉体の科学的性質と相溶性を有する溶剤で湿潤化させることで作成される。例えば、十分に湿潤する無機顔料を有した真珠光沢のあるアイシャドーは、エチルアルコールやイソプロピルアルコールなどの蒸発性の溶剤と共に用いられる。粗いスクリーンと潤滑性の低い粉体が同時に使われる場合は、グリセリンやシリコーン油などの追加の湿潤剤や潤滑剤をスラリーに添加することができる。スラリーの粘度と加えられる溶剤の量は、個々の粉体に応じて調整されなければならない。潤滑剤の量とその選択も同様であるが、望ましくは、潤滑剤の量は５％未満に保っておくべきである。スラリーをスクリーン印刷した後、溶剤が蒸発し化粧品２のサンプルがフィルム４の上に残される。
【００２３】
次に、周辺の接着剤３がカバーフィルム４上にプリントされ、保護用裏打ち材１がその接着剤に積層される。接着剤３は、好ましくは、必須というわけではないが、感圧タイプのものである。この発明に適合する接着剤の他の型には、嫌気性の接着剤、自己架橋性の接着剤、紫外線硬化性の接着剤、又は熱硬化性の接着剤があり、接着剤は蒸発によって簡単に乾燥させることができる。あるいはまた、保護用裏打ち剤１をカバーフィルム４に対して、加熱シール、溶融シール又は超音波シールなどの他の方法を用いてシールすることができ、これは更に、上記した接着剤と共に又は接着剤なしで行なうことができる。保護用裏打ち材１は、コーティングされた表面製紙材とすることができる。裏打ち基材を形成するのに相応しい材料の例として、紙、板紙、又はプラスティックがあり、この基材に対してＰＥＴ，ポリプロピレン、ポリエステル、共重合ポリエステル、ＰＶＣ、ポリエチレン、ポリスチレン、商標「マイラー」（Ｍｙｌａｒ）又はこれらの誘導体から得られたポリマーでコーティングすることができる。
【００２４】
化粧品サンプルを調製するためのこの発明の好適な実施例によるスクリーン印刷手法の技術は、アイシャドーや他の無機顔料粉体のサンプル用に限定されるものではない。有機顔料粉体もまたサンプルとすることができるが、このときは、溶剤系を調製することにより、また、必要ならば、有機顔料が液体媒体の中で顕色する傾向に対してこれを補償するために顔料充填材を減らすことにより行なう。このような技術は、例えば、ほお紅の試供品を可能にする。
【００２５】
この発明は、更に、液体を含まない油性製品、例えば口紅、日焼け止めスティック、スティック状消臭材、又は液体を含まないあらゆる医薬製品などをサンプルとする場合にも適用できる。
【００２６】
化粧サンプルが、口紅等のワックス系の製品の場合、サンプルをカバーフィルム４の上にスクリーン印刷する効果的な方法は、以下のとおりである。なお、この方法は、口紅のスクリーン印刷に適用されているが、ワックス系のいかなる製品に対しても同様に適用することができる。
【００２７】
先ず、口紅製品用バルクを、約１９５゜乃至２０５゜Ｆ範囲の融点を超える温度に加熱し、最高の融点を有するワックスの分散及び口紅材の均一化を確実にする。次いで、調合原料には、溶融ワックス及びその他の添加剤が加えられ、均一になるまで攪拌され増量されるが、その溶融状態のまま、ステンレススティール製のジャケットの付いた釜若しくは適当な大きさのプラスティック容器の中に注がれる。その後、混合物は冷却されて元の固形状に戻される。調合原料に追加のワックスを導入する目的は、口紅が爾後の環境に曝されたときに溶融したり、油分を滲み出したりしないようにするためである。
【００２８】
冷却後、混合物は、印刷できない硬質なワックス状の産品である。それゆえ、次のステップは、混合物をペースト状の粘稠度のものに変えるが、それには、ロールミルや遊星歯車式のミキサーによるなど、粉砕やせん断を行なう従来から知られた方法を用いる。
【００２９】
ペースト状に加工されたバルクは、室温でスクリーン印刷にかけられ、上記したように、カバーフィルム４の底面Ｂの上にあるパターンで印刷される。
【００３０】
印刷されたペーストの形にある素材は、未だ口紅にはなっていないので、約１９５゜乃至２０５゜Ｆに加熱して再溶融させ、冷却後口紅を形成させる。印刷された口紅の物理的性状は、光って光沢があり、液化状態である。
【００３１】
一つの選択手段として、口紅が熱や圧力といった環境条件に曝されたときでもその完成状態を維持していくことを確実にするため、印刷された口紅の上に保護用オーバーコート（図示せず）を塗布することができる。アメリカ合衆国特許第５５６２１１２号に開示されているように、このオーバーコートは、印刷された口紅と正確に同じパターンに印刷され、その役割として、口紅の完成状態を維持するためのみならず、製品が紙製の裏打ち材１に移行するのを防ぐ。
【００３２】
オーバーコート材は、溶剤系からスクリーン印刷される一連のポリマーの中から、急速な乾燥と口紅表面上への均一なフィルム形成を達成するように、選択される。オーバーコートは、エヤーナイフや流動する室温空気を用いて均一なフィルムに乾燥される。セルロース誘導体、ポリビィニールピロリドン、ピロリドンエステル混合体、アクリル、ニトロセルロースをベースとしたポリマー系が、ある程度の効果を有することが示されている。しかし、オーバーコートとして選択される材料は、商標「ノートックス」（ＮＯ´ＴＯＸ）のものであり、これはペンシリバニア州フィラデルフィアのコロルコン社（Ｃｏｌｏｒｃｏｎ Ｉｎｃｏｒｐｏｒａｔｅｄ）から出されている。
【００３３】
あるいはもう一つの選択として、保護用オーバーコートの印刷のステップを省略することである。この場合の例では、裏打ち材を構成する材料に、油分が逃げるのを防ぐための適当なコーティング、例えば、コーティングされた表面紙製材を施す必要がある。
【００３４】
なお、本発明は、上記実施の形態に関して説明がなされたが、数多くの他の変形と修正及び他の用途については、この分野の当業者には明らかであろう。それゆえ、この発明は、ここでの特定の開示によって限定されるものではなく、添付の請求範囲によってのみ限定される。
【００３５】
【発明の効果】
以上、説明したように本発明によれば、簡単な構成でサンプルの種類に関わらず裏移りや汚れが発生せずに意匠パターンを保持することができ、化粧品サンプルの１回分の単位使用量も十分に得ることが可能である。また、化粧品サンプルの色も目視することができ、さらに使用方法も容易で且つ低コストで構成することもできる。よって、使い捨てパッケージとして最適な化粧品サンプルを提供することが可能となる。
【図面の簡単な説明】
【図１】本発明の化粧品サンプルの一実施の形態を示す横断面図。
【図２】図１の化粧品サンプルの分解平面図。
【図３】図１に示されたフィルム４の底面図。
【符号の説明】
１…裏打ち層、
２…化粧品、
３…接着剤、
４…カバーフィルム、
５…デザイン、
６…窓。
【図１】
0004248679.tif 000002
【図２】
0004248679.tif 000003
【図３】
0004248679.tif 000004